(57)【要約】　　　（修正有）【課題】インターネット広告に関し、送信用のフォーム上に電子メールアドレスを自動的に表示させ、電子メール配信の可否を確認し、該電子メール配信が可の場合に電子メールを配信するインターネット広告システムを提供する。【解決手段】インターネットのサーバーを介して、端末装置３ａ，３ｂ，３ｃの表示画面上に表示されたウェブページ内に表示されるインターネットの広告システムであって、表示画面上の広告が選択されると、端末装置３ａ，３ｂ，３ｃの電子メールアドレスを含む情報を入力できる第１のフォームを表示させ、フォームで電子メールの配信の可否を選択できるようにし、サーバーに送信することによって、第１のフォームの情報を広告が登録されているサーバーの記憶装置に蓄積し、電子メールの配信が可であるときには、電子メールを配信させることができる。【選択図】　図１
2004062768.tif 000002
【特許請求の範囲】
【請求項１】
インターネットに接続できる端末装置を用い、インターネットのサーバーを介して、前記端末装置の表示画面上に表示されたウェブページ内に表示されるインターネットの広告システムであって、
前記表示画面上の広告が選択されることにより、前記端末装置の電子メールアドレスを含む情報を入力できる第１のフォームを表示させ、
該第１のフォームに前記電子メールアドレスを自動的に表示させると共に、前記第１のフォームで電子メールの配信の可否を選択できるようにし、
前記第１のフォームが前記サーバーに送信されることによって、前記第１のフォームの情報を前記広告が登録されているサーバーの記憶装置に蓄積し、
前記第１のフォームの電子メールの配信が可であるときには、電子メールを配信させること
を特徴とするインターネット広告システム。
【請求項２】
前記第１のフォームによる電子メールの配信の可否の選択を省略すると共に、サーバーが前記第１のフォームを受信した際に、電子メールの配信の可否を選択できる第２のフォームを表示させ、
該第２のフォームが前記サーバーに送信され、該第２のフォームの電子メールの配信が可であるときには、電子メールを配信させること
を特徴とする請求項１に記載のインターネット広告システム。
【請求項３】
前記端末装置は、
コンピュータ、携帯情報端末、携帯電話または情報家電であること
を特徴とする請求項１または２に記載のインターネット広告システム。
【請求項４】
前記広告は、
バナー広告であること
を特徴とする請求項１に記載のインターネット広告システム。
【請求項５】
前記第１のフォームには、
リファーが含まれていること
を特徴とする請求項１または２に記載のインターネット広告システム。
【請求項６】
前記リファーにより、
端末装置の種類を判別すること
を特徴とする請求項５に記載のインターネット広告システム。
【請求項７】
第１のフォームの電子メールアドレスの自動的な表示は、
ＳＭＴＰを解析して表示させること
を特徴とする請求項１に記載のインターネット広告システム。
【発明の詳細な説明】
【０００１】
【発明の属する技術分野】
本発明は、例えば、コンピュータ、携帯情報端末、携帯電話または情報家電等のインターネット接続可能な端末装置を用いて、インターネットのウェブページ内に表示されるバナー等のインターネットの広告に関し、特に、インターネット広告を選択した際に、端末装置の表示画面上に情報を入力するフォームを表示させ、フォームに電子メールアドレスを自動的に表示させると共に、前記フォームで電子メールの配信の可否を選択できるようにし、可であるときに電子メールを配信するインターネット広告のシステムに関するものである。
【０００２】
【従来の技術】
従来、インターネットを利用した広告には、例えば、インターネットのウェブページ内に表示されるインターネット広告、いわゆるバナー広告等がある。このバナー広告とは、インターネット上のウェブの検索ページまたは各ホームページ上に表示され、インターネットを利用しているユーザーの注意を喚起させ、バナー広告の部分がマウス等を用いてクリック、即ち選択されることにより、前記バナー広告の情報が掲載されたウェブページを表示させるというものである。
【０００３】
このバナー広告は、該バナー広告の部分を選択された後に、該バナー広告の広告主の情報を、インターネットを利用している複数のユーザーに提供し、複数のユーザーに閲覧されることが重要である。
【０００４】
しかし、インターネット上で前記バナー広告主のウェブページを表示させた場合には、ユーザーが該ウェブページを閲覧するのはそのときだけであることが多く、また、どのようなユーザーが閲覧しているのかを前記バナー広告主が確認することは難しいのである。
【０００５】
更に、ウェブページには、絵または写真等の情報が含まれていることが多く、このようなウェブページは表示に時間を要し、携帯電話等を用いてインターネットに接続するユーザー、または従量制でインターネットに接続するユーザー等は、インターネットに接続する時間が長くなることにより、料金的な負担が大きくなる場合があるのである。
【０００６】
そこで、バナー広告を選択した場合に、該バナー広告主のウェブページを表示させずに、電子メールを送信させるようにしたシステムとしては、例えば、特開２００２−１８３０２５公報に開示された電子メール広告等システムの技術が公知になっている。
【０００７】
この公知技術においては、予め広告主によって電子メールサーバに電子メールリソースを蓄積させておき、ＷＥＢページ閲覧者が、該ＷＥＢページ上の広告バナーをクリックした際に、初めて利用する閲覧者、またはＣＯＯＫＩＥがＯＦＦの場合は、前記閲覧者に電子メールアドレスを入力させる画面を表示し、該画面で電子メールアドレスを入力した場合、または２度目以降の閲覧者でＣＯＯＫＩＥがＯＮの場合には、自動的に電子メールを送信するというものである。
【０００８】
【発明が解決しようとする課題】
しかしながら、前記特開２００２−１８３０２５公報に開示された技術においては、前記ＷＥＢページを初めて閲覧する場合に、閲覧者が電子メールアドレスを入力しなければならないという負担があり、そのため、前記閲覧者が複数のＷＥＢページを閲覧した場合には、それぞれのＷＥＢページにおいて、電子メールアドレスを入力しなければならず、更に、ＣＯＯＫＩＥをＯＦＦにしている場合には、閲覧の度に電子メールアドレスを入力しなければならないという問題点がある。
【０００９】
また、近年においては、特定電子メール、いわゆる迷惑電子メールが送信されるという問題が生じているが、これは、電子メール配信の希望を得ていない業者によって、不特定多数のユーザーに電子メールが配信されるというものであり、例えば、前記公知技術等を用いた場合においても、前記特定電子メールを送信させることができるものであるが、このような特定電子メールについては、社会的にみて、削減させなければならないということは勿論である。
【００１０】
従って、従来のインターネット広告として電子メールを送信するシステムにおいては、送信用のフォーム上に電子メールアドレスを自動的に表示させ、電子メール配信の可否を確認し、該電子メール配信が可の場合に電子メールを配信させるようにすることに解決しなければならない課題を有する。
【００１１】
【課題を解決するための手段】
上記した従来例の課題を解決する具体的手段として本発明に係る発明は、インターネットに接続できる端末装置を用い、インターネットのサーバーを介して、前記端末装置の表示画面上に表示されたウェブページ内に表示されるインターネットの広告システムであって、前記表示画面上の広告が選択されることにより、前記端末装置の電子メールアドレスを含む情報を入力できる第１のフォームを表示させ、該第１のフォームに前記電子メールアドレスを自動的に表示させると共に、前記第１のフォームで電子メールの配信の可否を選択できるようにし、前記第１のフォームを前記サーバーに送信することによって、前記第１のフォームの情報を前記広告が登録されているサーバーの記憶装置に蓄積し、前記第１のフォームの電子メールの配信が可であるときには、電子メールを配信させることを特徴とするインターネット広告システムを提供するものである。
【００１２】
この発明において、前記第１のフォームによる電子メールの配信の可否の選択を省略すると共に、サーバーが前記第１のフォームを受信した際に、電子メールの配信の可否を選択できる第２のフォームを表示させ、該第２のフォームが前記サーバーに送信され、該第２のフォームの電子メールの配信が可であるときには、電子メールを配信させること；前記端末装置は、コンピュータ、携帯情報端末、携帯電話または情報家電であること；前記広告は、バナー広告であること；前記第１のフォームには、リファーが含まれていること；前記リファーにより、端末装置の種類を判別すること；第１のフォームの電子メールアドレスの自動的な表示は、ＳＭＴＰを解析して表示させること；を付加的な要件として含むものである。
【００１３】
本発明に係るインターネット広告システムは、端末装置の表示画面上に表示されたウェブページ内に表示されるインターネットの広告が選択されることにより、前記端末装置の電子メールアドレスを含む情報を入力できる第１のフォームを表示し、該第１のフォームに前記電子メールアドレスを自動的に表示させると共に、前記第１のフォームで電子メールの配信の可否を選択できるようにし、前記第１のフォームを前記サーバーに送信することによって、前記第１のフォームの情報を前記広告が登録されているサーバーの記憶装置に蓄積し、前記第１のフォームの電子メールの配信が可であるときに電子メールを配信させるようにすることにより、送信用の第１のフォーム上に電子メールアドレスが自動的に表示されるため、閲覧者がウェブページを閲覧の度に電子メールアドレスを入力する必要がなく、また、電子メール配信の可否を確認して、電子メール配信が可の場合にのみ電子メールを配信させるようにできるため、閲覧者が電子メール配信を希望しない場合には、電子メールを配信しないようにでき、特定電子メールの配信を防止することができるのである。
【００１４】
【発明の実施の形態】
次に、本発明を具体的な実施の形態に基づいて詳しく説明する。
本発明の第１の実施の形態に係るインターネット広告システム１の概略図を図１に示す。インターネット２上のウェブページを閲覧しようとする各ユーザーは、インターネット２に接続できる端末装置３ａ、３ｂ、３ｃを用いて、前記ウェブページを閲覧することができる。このウェブページには、インターネット２上のウェブの検索ページまたは各ホームページ等を含むものである。
【００１５】
この端末装置３ａ、３ｂ、３ｃとしては、例えば、コンピュータ（いわゆるパソコン等）、携帯情報端末（ＰＤＡ（Ｐｅｒｓｏｎａｌ　Ｄｉｇｉｔａｌ　Ａｓｉｓｔａｎｔｓ）等）、携帯電話、または情報家電（電話またはテレビジョン等）等を使用することができる。
【００１６】
ウェブページ等のインターネットの各種情報、及び端末装置３ａ、３ｂ、３ｃの各種情報は、図示していない端末装置３ａ、３ｂ、３ｃの表示画面によって確認することができる。
【００１７】
インターネット２は、インターネット・サービス・プロパイダ等に設置されているサーバー４ａ、４ｂ、４ｃ等によって形成されたネットワークが相互に複数接続されて、全体として大きなネットワークとしての機能を有するようになったものであるため、端末装置３ａ、３ｂ、３ｃは、インターネット２に接続されたサーバー４ａ、４ｂ、４ｃに接続することによって、該サーバー４ａ、４ｂ、４ｃを介して、インターネット２に接続できるようになる。
【００１８】
インターネット２上のウェブページは、一般的に、端末装置３ａ、３ｂ、３ｃ等で作成したウェブページのデーターを、サーバー４ａ、４ｂ、４ｃ等に登録して蓄積させておくことによって、インターネット２に接続したいずれの端末装置３ａ、３ｂ、３ｃを用いても、前記ウェブページを閲覧することができるのであり、インターネット２に接続された端末装置３ａ、３ｂ、３ｃは、各種情報の発信者または受信者のいずれにもなることができるのである。
【００１９】
このようなウェブページには、該ウェブページ内の一部にバナー広告等のインターネットの広告が含まれていることがあり、該インターネット広告は、端末装置の表示画面上に、ウェブページの一部として該ウェブページ内に表示される。
【００２０】
このバナー広告には、横長の長方形状のものが多く用いられており、インターネットに接続しているユーザーの注意を喚起して、例えば、いわゆるパソコンを使用してインターネットに接続しているユーザーの場合は、該ユーザーによりマウス等を用いて前記バナー広告の部分をクリック、即ち選択されることにより、前記バナー広告の掲載されたウェブページにジャンプし、サーバー４ａ、４ｂ、４ｃ等に蓄積されている前記バナー広告等のインターネット広告の情報を端末装置３ａ、３ｂ、３ｃの表示画面上に表示するのである。
【００２１】
ウェブページ内に表示されるインターネット広告を選択した場合の簡単な処理の流れを図２のフローチャートを用いて説明する。図２のフローチャートにおいては、端末装置側での処理と、広告が登録されているサーバー側での処理とに分けて示してある。
【００２２】
端末装置の表示画面上には、ウェブページが表示されており、該ウェブページ内の一部には、バナー広告等のインターネット広告が表示ｆ１されている。この広告がクリック等の操作により選択ｆ２されると、その広告を選択ｆ２したという情報がサーバーに伝達され、インターネット広告のウェブページにジャンプｆ３される。
【００２３】
前記インターネット広告のウェブページには、第１のフォームの情報が登録されており、該第１のフォームの表示指示ｆ４がなされる。この第１のフォームの表示指示ｆ４を受けた端末装置は、表示画面上に該第１のフォームを表示ｆ５させる。
【００２４】
この第１のフォーム５の一例を図３に示す。第１のフォーム５には、例えば、ユーザーの電子メールアドレスを入力する題名の欄６、どこのウェブページからジャンプしてきたのかを表示するリンク元のウェブページ情報、いわゆるリファー（Ｒｅｆｅｒ）の欄７、インターネット広告のウェブページの簡単な内容等を掲載する本文の欄８、前記インターネット広告の広告主の表示９、該インターネット広告の広告主の発信する情報等の電子メールの配信の希望の有無の選択欄１０、送信用のボックス１１等が表示されている。
【００２５】
この際、第１のフォーム５に組み込まれた情報の設定により、ユーザーの電子メールアドレスを入力する題名の欄６には、該ユーザーの電子メールアドレスが自動的に表示ｆ５されるようになっているため、ユーザーが複数のウェブページを閲覧の度に、前記ユーザーの電子メールアドレスを入力する必要がなくなるので、ユーザーの負担が軽減されるのである。
【００２６】
この第１のフォーム５における電子メールアドレスの自動的な表示ｆ５としては、例えば、インターネット上における電子メールのやりとりは、一般的にＳＭＴＰ（Ｓｉｍｐｌｅ　Ｍａｉｌ　Ｔｒａｎｓｆｅｒ　Ｐｒｏｔｏｃｏｌ）が使用されていることから、該ＳＭＴＰのＲＦＣ８２２（Ｓ）を解析することによって、表示させることができる。
【００２７】
また、リファーの欄７には、リンク元のウェブページ情報が表示されるように設定されているため、前記インターネット広告の広告主は、ユーザーがどのページからジャンプしてくることが多いかを把握することができるようになるため、インターネット広告の広告先のウェブページを検討する際の判断に役立てることができる、即ち、広告効果の高いサイトの選択が容易にできるようになるのである。
【００２８】
このリファーの欄７の情報には、ＨＴＴＰ（Ｈｙｐｅｒ　Ｔｅｘｔ　Ｔｒａｎｓｆｅｒ　Ｐｒｏｔｏｃｏｌ）の情報を含めることもでき、該ＨＴＴＰを解析することにより、前記ユーザーの使用する端末装置の種類を判別することもできるようになる。
【００２９】
更に、電子メールの配信の希望の有無の選択欄１０は、希望する１０ａと、希望しない１０ｂとを選択できるようにされているため、電子メールの配信の可否をユーザー自らが選択ｆ６できるようになるのである。
【００３０】
要するに、この例に示した第１のフォーム５の場合には、ユーザーは、電子メールの配信の可否を選択ｆ６し、送信用のボックス１１を操作するという簡単な作業をするだけで良いのである。
【００３１】
この送信用のボックス１１を操作することにより、前記第１のフォーム５の情報をサーバーに送信ｆ７し、該第１のフォーム５の情報をサーバーが受信ｆ８することになる。この際、サーバーは、前記第１のフォーム５の情報を該サーバーの記憶装置に蓄積する。この第１のフォーム５の情報の蓄積は、該第１のフォーム５の情報を全て蓄積させても良いが、ユーザーの電子メールアドレスを入力する題名の欄６の情報、及び／またはリファーの欄７の情報等の前記第１のフォーム５の情報の一部のみを蓄積させても良い。
【００３２】
サーバーでは、第１のフォーム５の電子メール配信の可否ｆ１０を確認し、電子メールの配信が否の場合には、処理を終了ｆ１１して、電子メールの配信を行わないようにし、電子メール配信が可の場合には、前記第１のフォーム５の電子メールアドレスを入力する題名の欄６に示された電子メールアドレスに、電子メールを配信ｆ１２することにより、端末装置を使用しているユーザーは、前記電子メールを受信ｆ１３して、前記インターネット広告の広告主からの情報を確認することができる。
【００３３】
このように、電子メール配信の可否を確認し、電子メール配信が否の場合には配信をせず、電子メール配信が可の場合にのみ電子メールを配信させるようにできるため、閲覧者が電子メール配信を希望しない場合にも電子メールが配信されるという特定電子メール、いわゆる迷惑電子メールの配信を防止することができるのである。
【００３４】
本発明の第２の実施の形態に係るウェブページ内に表示されるインターネット広告を選択した場合の簡単な処理の流れを図４のフローチャートを用いて説明する。この第２の実施の形態は、前記第１の実施の形態の第１のフォーム５による電子メールの配信の可否の選択ｆ６を省略すると共に、前記サーバーが前記第１のフォームを受信した際に、該サーバーから前記端末装置に電子メールの配信の可否を選択できる第２のフォームを送信するようにしたものである。なお、この第２の実施の形態においては、前記第１の実施の形態の第１のフォーム５における電子メールの配信の可否の選択ｆ６より前については、前記第１の実施の形態と同一であり、その電子メールの配信の可否の選択ｆ６より前については説明が重複するため、第１の実施の形態と同一のものには同一の符号を付して説明し、その詳細については省略する。
【００３５】
第２の実施の形態に用いる第１のフォーム２１の一例を図５に示す。第１のフォーム２１には、例えば、ユーザーの電子メールアドレスを入力する題名の欄６、リンク元のウェブページ情報を表示するリファー（Ｒｅｆｅｒ）の欄７、インターネット広告のウェブページの簡単な内容等を掲載する本文の欄８、送信用のボックス１１等が表示されている。
【００３６】
この例の第１のフォーム２１の場合には、ユーザーは、送信用のボックス１１を操作するだけであり、この送信用のボックス１１を操作することにより、前記第１のフォーム２１の情報をサーバーに送信ｆ７し、該第１のフォーム２１の情報をサーバーが受信ｆ８することになる。この際、サーバーは、前記第１のフォーム２１の情報を該サーバーの記憶装置に蓄積する。この場合も、前記第１の実施の形態と同様に、前記第１のフォーム２１の情報の蓄積は、該第１のフォーム２１の情報を全て蓄積させても良いが、前記第１のフォーム５の情報の一部のみを蓄積させても良い。
【００３７】
第１のフォーム２１の情報をサーバーの記憶装置に蓄積した後、サーバーは、第２のフォームの表示指示２１をする。この第２のフォームの表示指示ｆ２１を受けた端末装置は、表示画面上に該第２のフォームを表示ｆ２２させる。
【００３８】
この第２のフォーム２２の一例を図６に示す。第２のフォーム２２には、例えば、前記第１のフォーム２１の受信番号２３、第１のフォーム２１のユーザーの電子メールアドレスを入力する題名の欄６に示されていた電子メールアドレス２４、第１のフォーム２１を受信した日時２５、インターネット広告の広告主の表示９、該インターネット広告の広告主の発信する情報等の電子メールの配信の希望の有無の選択欄１０、送信用のボックス２６等が表示されている。
【００３９】
この前記第１のフォーム２１の受信番号２３は、例えば、インターネット広告が先着のキャンペーン等であった場合には、サーバーの第１のフォーム２１の受信が、その先着者中の何番目であったかを示す受付番号等として用いても良い。
【００４０】
そして、送信用のボックス２６を操作することにより、前記第２のフォーム２２の情報をサーバーに送信ｆ２４し、該第２のフォーム２２の情報をサーバーが受信ｆ２５する。
【００４１】
サーバーでは、第１の実施の形態と同様にして、第２のフォーム２２の電子メール配信の可否ｆ１０を確認し、電子メールの配信が否の場合には、処理を終了ｆ１１して、電子メールの配信を行わないようにし、電子メール配信が可の場合には、前記第１のフォーム２１の電子メールアドレスを入力する題名の欄６に示された電子メールアドレスに、電子メールを配信ｆ１２することにより、端末装置を使用しているユーザーは、前記電子メールを受信ｆ１３して、前記インターネット広告の広告主からの情報を確認することができる。
【００４２】
従って、本発明に係る第２の実施の形態においても、送信用の第１のフォーム上に電子メールアドレスを自動的に表示させて、ユーザーの負担を軽減でき、また、電子メール配信の可否を確認して、電子メール配信を希望する場合にのみ電子メールを配信させるようにできるため、特定電子メールの配信を防止することができるのである。
【００４３】
また、サーバーに蓄積された第１のフォームの情報より、ユーザーが希望するカテゴリーを識別し、該カテゴリーの情報を前記ユーザーに配信することもできるようになるのである。
【００４４】
【発明の効果】
以上説明したように、本発明に係るインターネット広告システムは、インターネットに接続できる端末装置を用い、インターネットのサーバーを介して、前記端末装置の表示画面上に表示されたウェブページ内に表示されるインターネットの広告システムであって、前記表示画面上の広告が選択されることにより、前記端末装置の電子メールアドレスを含む情報を入力できる第１のフォームを表示させ、該第１のフォームに前記電子メールアドレスを自動的に表示させると共に、前記第１のフォームで電子メールの配信の可否を選択できるようにし、前記第１のフォームを前記サーバーに送信することによって、前記第１のフォームの情報を前記広告が登録されているサーバーの記憶装置に蓄積し、前記第１のフォームの電子メールの配信が可であるときには、電子メールを配信させることにより、送信用のフォーム上、即ち第１のフォームに電子メールアドレスが自動的に表示されるため、複数のウェブページを閲覧した場合であっても、閲覧の度に電子メールアドレスを入力する必要がなく、このインターネット広告システムを使用するユーザーは、送信用のボックスを操作するという１つの作業で、閲覧したい情報を入手することができ、また、電子メール配信の可否を確認するようにしたため、電子メール配信を希望した場合にのみ電子メールを配信させるようにでき、特定電子メールの配信を防止することができるという優れた効果を奏する。
【図面の簡単な説明】
【図１】本発明の第１の実施の形態に係るインターネットと、インターネット広告システムの概略図である。
【図２】同第１の実施の形態に係るウェブページ内に表示されるインターネット広告を選択した場合の簡単な処理の流れを示したフローチャートである。
【図３】同第１の実施の形態に使用される第１のフォームの一例である。
【図４】本発明の第２の実施の係るウェブページ内に表示されるインターネット広告を選択した場合の簡単な処理の流れを示したフローチャートである。
【図５】同第２の実施の形態に使用される第１のフォームの一例である。
【図６】同第２の実施の形態に使用される第２のフォームの一例である。
【符号の説明】
１　インターネット広告システム
２　インターネット
３ａ、３ｂ、３ｃ　端末装置
４ａ、４ｂ、４ｃ　サーバー
５、２１　第１のフォーム
６　電子メールアドレスを入力する題名の欄
７　リンク元のウェブページ情報を示すリファーの欄
８　ウェブページの簡単な内容等を掲載する本文の欄
９　インターネット広告の広告主の表示
１０　電子メールの配信の希望の有無の選択欄
１０ａ　電子メールの配信を希望する場合の選択欄
１０ｂ　電子メールの配信を希望しない場合の選択欄
１１　送信用のボックス
２２　第２のフォーム
２３　第１のフォームの受信番号
２４　電子メールアドレス
２５　第１のフォームを受信した日時
２６　送信用のボックス
【図１】
2004062768.tif 000003
【図２】
2004062768.tif 000004
【図３】
2004062768.tif 000005
【図４】
2004062768.tif 000006
【図５】
2004062768.tif 000007
【図６】
2004062768.tif 000008